(57)【要約】【課題】互いに異なる材料によって構成された第一部材および第二部材の境界部における接合強度をより高めることのできる新規な構成の筐体および電子機器を得る。【解決手段】ベース筐体２は、前端部２ｈ（第一端部）を有した上壁２ａ（外壁）と、上壁２ａにおける前端部２ｈとはＸ方向（第一方向）に離れた位置から当該ベース筐体２内に突出し、かつ前端部２ｈに沿って延びたリブ２ｘと、上壁２ａの一部を構成する第一部分２１Ｆ１と、リブ２ｘの一部を構成する第三部分２１Ｆ２と、を有し、第一材料によって構成された第一部材２１Ｆと、上壁２ａの一部を構成し第一部分２１Ｆ１とＸ方向に並んだ第二部分２１Ｒ１と、リブ２ｘの一部を構成し第三部分２１Ｆ２とＸ方向に並んだ第四部分２１Ｒ２と、を有し、第一材料とは異なる第二材料によって構成され第一部材２１Ｆと接合された第二部材２１Ｒと、を備える。【選択図】図５
2020080086.tif 000002
【特許請求の範囲】
【請求項１】
電子機器の筐体であって、
第一端部を有した外壁と、
前記外壁における前記第一端部とは第一方向に離れた位置から当該筐体内に突出し、かつ前記第一端部に沿って延びたリブと、
前記外壁の一部を構成する第一部分と、前記リブの一部を構成する第三部分と、を有し、第一材料によって構成された第一部材と、
前記外壁の一部を構成し前記第一部分と前記第一方向に並んだ第二部分と、前記リブの一部を構成し前記第三部分と前記第一方向に並んだ第四部分と、を有し、前記第一材料とは異なる第二材料によって構成され前記第一部材と接合された第二部材と、
を備えた、筐体。
【請求項２】
前記第三部分および前記第四部分のうち一方には、前記第一方向に沿って延びた第一突出部が設けられ、他方には前記第一突出部が入る第一開口部が設けられた、請求項１に記載の筐体。
【請求項３】
前記第一部分および前記第二部分のうち一方には、前記外壁の外面よりも前記リブの突出方向である第二方向に離れた位置で前記第一方向に沿って延びた第二突出部が設けられ、他方には前記第二突出部が入る第二開口部が設けられた、請求項１または２に記載の筐体。
【請求項４】
前記第二突出部には、前記第二方向に貫通した貫通孔が設けられ、前記第一部分および前記第二部分のうち他方には、前記貫通孔を介して前記第二開口部の前記第二方向に離間した二つの側面と繋がった接続部が設けられた、請求項３に記載の筐体。
【請求項５】
請求項１〜４のうちいずれか一つに記載の筐体と、
表示画面を有し、前記筐体に対して複数の回転中心回りに、前記表示画面が前記外壁の外面と面する第一位置と、前記表示画面が前記外面とは反対側を向く第二位置と、の間で回転可能に支持された第二筐体と、
前記第二筐体に収容され、当該第二筐体が前記第二位置に位置された状態で前記第一部材と前記リブの突出方向である第二方向に重なって位置されたアンテナと、
を備え、
前記第一部材は、前記第一材料として合成樹脂材料によって構成された、電子機器。 
【発明の詳細な説明】
【技術分野】
【０００１】
本発明は、筐体および電子機器に関する。
【背景技術】
【０００２】
従来、互いに異なる材料によって構成された第一部材および第二部材がインサート成形によって一体化された構成の電子機器の筐体が知られている（例えば、特許文献１参照）。
【先行技術文献】
【特許文献】
【０００３】
【特許文献１】特開２０１７−１２６６０２号公報
【発明の概要】
【発明が解決しようとする課題】
【０００４】
この種の電子機器の筐体では、例えば、第一部材および第二部材の境界部における接合強度をより高めることのできる新規な構成が得られれば、有益である。
【０００５】
そこで、本発明の課題の一つは、互いに異なる材料によって構成された第一部材および第二部材の境界部における接合強度をより高めることのできる新規な構成の筐体および電子機器を得ることである。
【課題を解決するための手段】
【０００６】
本発明の第一態様にかかる筐体は、電子機器の筐体であって、第一端部を有した外壁と、前記外壁における前記第一端部とは第一方向に離れた位置から当該筐体内に突出し、かつ前記第一端部に沿って延びたリブと、前記外壁の一部を構成する第一部分と、前記リブの一部を構成する第三部分と、を有し、第一材料によって構成された第一部材と、前記外壁の一部を構成し前記第一部分と前記第一方向に並んだ第二部分と、前記リブの一部を構成し前記第三部分と前記第一方向に並んだ第四部分と、を有し、前記第一材料とは異なる第二材料によって構成され前記第一部材と接合された第二部材と、を備える。
【０００７】
このような構成によれば、例えば、リブが設けられない場合と比べて、第一部材および第二部材の境界部における接触面積ひいては摩擦力が増大する。よって、例えば、リブを利用した比較的簡素な構成によって、第一部材および第二部材の境界部における接合強度、すなわちリブの突出方向である第二方向に入力される荷重に対する剛性や強度がより高まりやすい。
【０００８】
また、前記第三部分および前記第四部分のうち一方には、前記第一方向に沿って延びた第一突出部が設けられ、他方には前記第一突出部が入る第一開口部が設けられる。このような構成によれば、例えば、第一突出部と第一開口部の縁部との当接によって、第一方向と交差する方向への第一部材と第二部材との相対移動を抑制することができる。また、例えば、第一突出部および第一開口部が設けられない場合と比べて、境界部における接触面積ひいては摩擦力がより増大しうる。よって、例えば、第一部材および第二部材の境界部における接合強度がより一層高まりやすい。
【０００９】
また、前記第一部分および前記第二部分のうち一方には、前記外壁の外面よりも前記リブの突出方向である第二方向に離れた位置で前記第一方向に沿って延びた第二突出部が設けられ、他方には前記第二突出部が入る第二開口部が設けられる。このような構成によれば、例えば、第二突出部と第二開口部の縁部との当接によって、第一方向と交差する第二方向への第一部材と第二部材との相対移動を抑制することができる。よって、例えば、第一部材および第二部材の境界部における接合強度、すなわち第二方向に入力された荷重に対する剛性や強度がより一層高まりやすい。
【００１０】
また、前記第二突出部には、前記第二方向に貫通した貫通孔が設けられ、前記第一部分および前記第二部分のうち他方には、前記貫通孔を介して前記第二開口部の前記第二方向に離間した二つの側面と繋がった接続部が設けられる。このような構成によれば、例えば、接続部によって第二開口部の二つの側面が繋がるため、境界部における第二方向に入力された荷重に対する剛性や強度がより一層高まりやすい。
【００１１】
また、本発明の第二態様にかかる電子機器は、請求項１〜４のうちいずれか一つに記載の筐体と、表示画面を有し、前記筐体に対して複数の回転中心回りに、前記表示画面が前記外壁の外面と面する第一位置と、前記表示画面が前記外面とは反対側を向く第二位置と、の間で回転可能に支持された第二筐体と、前記第二筐体に収容され、当該第二筐体が前記第二位置に位置された状態で前記第一部材と前記リブの突出方向である第二方向に重なって位置されたアンテナと、を備え、前記第一部材は、前記第一材料として合成樹脂材料によって構成される。
【００１２】
このような構成によれば、例えば、前記第一態様にかかる筐体と略同様の作用効果を得ることができる。また、第一部材が合成樹脂材料によって構成されているため、例えば、第二筐体が第二位置で使用されるような場合にも、アンテナが第一部材を介して電波を送受信することができる。
【発明の効果】
【００１３】
本発明の上記態様によれば、互いに異なる材料によって構成された第一部材および第二部材の境界部における接合強度をより高めることのできる新規な構成の筐体および電子機器を得ることができる。
【図面の簡単な説明】
【００１４】
【図１】図１は、実施形態の電子機器の正面側からの例示的な斜視図であって、ディスプレイ筐体が閉位置に位置された状態の図である。
【図２】図２は、実施形態の電子機器の正面側からの例示的な斜視図であって、ディスプレイ筐体が第一展開位置に位置された状態の図である。
【図３】図３は、実施形態の電子機器の背面側からの例示的な斜視図であって、ディスプレイ筐体が第二展開位置に位置された状態の図である。
【図４】図４は、実施形態の電子機器の背面側からの例示的な斜視図であって、ディスプレイ筐体が第三展開位置に位置された状態の図である。
【図５】図５は、図４のV−V断面図である。
【図６】図６は、実施形態の電子機器のトップカバーの背面側からの例示的な斜視図である。
【図７】図７は、図６の第一部材の一部の拡大図である。
【図８】図８は、図６の第二部材の一部の拡大図である。
【図９】図９は、図２のIX−IX断面図である。
【図１０】図１０は、第１変形例の電子機器の第二部材の一部の例示的な斜視図である。
【図１１】図１１は、第１変形例の電子機器のベース筐体の一部の例示的な断面図である。
【図１２】図１２は、第２変形例の電子機器のベース筐体の一部の例示的な断面図である。
【図１３】図１３は、第３変形例の電子機器の第二部材の一部の例示的な斜視図である。
【図１４】図１４は、第３変形例の電子機器のベース筐体の一部の例示的な断面図である。
【発明を実施するための形態】
【００１５】
以下、本発明の例示的な実施形態および変形例が開示される。以下に示される実施形態および変形例の構成、ならびに当該構成によってもたらされる作用および効果は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１６】
また、以下に開示される実施形態および変形例には、同様の構成要素が含まれる。よって、以下では、それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１７】
［実施形態］
図１は、電子機器１の正面側からの斜視図であって、ディスプレイ筐体３が閉位置Ｐ０に位置された状態の図である。図２は、電子機器１の正面側からの斜視図であって、ディスプレイ筐体３が第一展開位置Ｐ１に位置された状態の図である。なお、以下の説明では、便宜上、互いに直交する三方向が定義されている。Ｘ方向は、ベース筐体２の奥行（前後方向）に沿い、Ｙ方向は、ベース筐体２の幅（左右方向、長手方向）に沿い、Ｚ方向は、ベース筐体２の厚さ（上下方向）に沿う。Ｘ方向は、第一方向の一例であり、Ｚ方向は、第二方向の一例である。また、以下の説明では、Ｘ方向は後方、Ｘ方向の反対方向は前方とも称され、Ｙ方向は左方、Ｙ方向の反対方向は右方とも称され、Ｚ方向は下方、Ｚ方向の反対方向は上方とも称される場合がある。
【００１８】
図１，２に示されるように、電子機器１は、例えば、クラムシェル型（ノートブック型）のパーソナルコンピュータとして構成されており、ベース筐体２と、ディスプレイ筐体３と、を備えている。ベース筐体２には、キーボード４や、不図示の基板等が収容され、ディスプレイ筐体３には、アンテナユニット５や、ディスプレイユニット６等が収容されている。ベース筐体２は、筐体の一例であり、ディスプレイ筐体３は、第二筐体の一例である。なお、電子機器１は、この例には限定されず、例えば、デスクトップ型のパーソナルコンピュータや、映像表示装置、テレビジョン受像機、ゲーム機、映像表示制御装置、情報記憶装置等、アンテナユニット５を備えた種々の電子機器１として構成することができる。
【００１９】
ベース筐体２は、例えば、キーボード４が露出する上面２ａ１と、上面２ａ１とは反対側を向いた下面２ｂ１と、を有する。キーボード４は、上方から操作可能な状態に、ベース筐体２に支持されている。また、ベース筐体２内には、ＣＰＵ（Central  Processing  Unit）や、ＲＯＭ（Read  Only  Memory）、ＲＡＭ（Random  Access  Memory）等の複数の電子部品が実装された基板が設けられている。基板内の配線とこれら複数の電子部品とによって、電子機器１の制御回路の少なくとも一部が構成されている。
【００２０】
ディスプレイ筐体３は、例えば、ディスプレイユニット６の表示画面６ａが露出する前面３ａ１と、前面３ａ１とは反対側を向いた後面３ｂ１と、を有する。ディスプレイユニット６は、表示画面６ａが前方から視認可能な状態に、ディスプレイ筐体３に支持されている。また、前面３ａ１および表示画面６ａは、タッチパネル９の透明部によって覆われている。
【００２１】
アンテナユニット５は、例えば、ディスプレイ筐体３の上端部３ｊの二つの隅部に設けられている。アンテナユニット５は、それぞれケーブルを介して、基板の通信チップと電気的に接続されている。アンテナユニット５は、ダイバーシティアンテナの一例である。本実施形態によれば、複数のアンテナユニット５で受信した同一の無線信号について、電波状況の優れたアンテナユニット５の信号を優先的に用いたり、受信した信号を合成してノイズを除去したりすることによって、通信の質や信頼性の向上を図ることができる。なお、アンテナユニット５は、この例には限定されず、例えば、片側の隅部のみに設けられてもよい。
【００２２】
図３は、電子機器１の背面側からの斜視図であって、ディスプレイ筐体３が第二展開位置Ｐ２に位置された状態の図である。図４は、電子機器１の背面側からの斜視図であって、ディスプレイ筐体３が第三展開位置Ｐ３に位置された状態の図である。本実施形態では、電子機器１は、図２に示されるノートブックモードや、図３に示されるテントモード（スタンドモード）、図４に示されるスレートモード（タブレットモード）等、複数のモードで使用可能に構成されている。
【００２３】
具体的には、ディスプレイ筐体３は、ベース筐体２にＹ方向に沿って延びる二つの回転中心Ａｘ１，Ａｘ２（回転軸）を有したヒンジ７を介して回転可能に支持されている。ディスプレイ筐体３は、ヒンジ７の回転中心Ａｘ１，Ａｘ２回りに回転することで、閉位置Ｐ０（図１）と、第一展開位置Ｐ１（図２）と、第二展開位置Ｐ２（図３）と、第三展開位置Ｐ３（図４）と、の間で移動可能である。
【００２４】
図１に示されるように、ディスプレイ筐体３が閉位置Ｐ０に位置された状態では、ベース筐体２の上面２ａ１およびキーボード４と、ディスプレイ筐体３の前面３ａ１およびディスプレイユニット６の表示画面６ａとが対向する。よって、閉位置Ｐ０では、キーボード４やタッチパネル９等は、ベース筐体２およびディスプレイ筐体３によって隠れるため、操作不能である。閉位置Ｐ０は、第一位置の一例であり、上面２ａ１は、外面の一例である。また、閉位置Ｐ０は、初期位置や、第一折り畳み位置等とも称される。
【００２５】
図２に示されるように、ディスプレイ筐体３が第一展開位置Ｐ１に位置された状態では、上面２ａ１およびキーボード４と、前面３ａ１および表示画面６ａとが対向せず、上面２ａ１、キーボード４、前面３ａ１、および表示画面６ａが露出する。第一展開位置Ｐ１におけるディスプレイ筐体３のベース筐体２に対する回転角度は、例えば、９０°〜１７０°である。第一展開位置Ｐ１では、所謂ノートブックモードとして使用され、ベース筐体２が不図示の机や台等の載置部に載せられた状態でキーボード４によって操作が行われる。第一展開位置Ｐ１は、第一使用位置等とも称される。
【００２６】
図３に示されるように、ディスプレイ筐体３が第二展開位置Ｐ２に位置された状態では、上面２ａ１およびキーボード４と、前面３ａ１および表示画面６ａとが互いに反対側を向く。第二展開位置Ｐ２におけるディスプレイ筐体３のベース筐体２に対する回転角度は、例えば、２７０°〜３５０°である。第二展開位置Ｐ２では、所謂テントモード（スタンドモード）として使用され、ベース筐体２およびディスプレイ筐体３が不図示の載置部に立てられた状態でタッチパネル９によって操作が行われる。第二展開位置Ｐ２は、第二使用位置等とも称される。
【００２７】
また、図４に示されるように、ディスプレイ筐体３が第三展開位置Ｐ３に位置された状態においても、上面２ａ１およびキーボード４と、前面３ａ１および表示画面６ａとが互いに反対側を向く。第三展開位置Ｐ３におけるディスプレイ筐体３のベース筐体２に対する回転角度は、３６０°である。第三展開位置Ｐ３では、所謂スレートモード（タブレットモード）として使用され、ベース筐体２が不図示の載置部に載せられた状態あるいはベース筐体２が載置部から持ち上げられた状態でタッチパネル９によって操作が行われる。第三展開位置Ｐ３は、第二位置の一例である。
【００２８】
なお、第三展開位置Ｐ３は、この例には限定されず、例えば、互いに交差（直交）する二つの回転中心を有したヒンジによって、ベース筐体２の上面２ａ１側でディスプレイ筐体３の表示画面６ａが上面２ａ１とは反対側を向くように重ねられてもよい。第三展開位置Ｐ３は、第三使用位置や、第二折り畳み位置等とも称される。
【００２９】
図１〜４に示されるように、ディスプレイ筐体３は、例えば、一方向（図１ではＺ方向）に扁平な直方体状に構成されている。ディスプレイ筐体３は、前壁３ａや、後壁３ｂ、複数の側壁３ｃ〜３ｆ等を有している。前壁３ａは、前面３ａ１を含み、後壁３ｂは、後面３ｂ１を含む。前壁３ａは、四角形状の枠状に構成され、後壁３ｂは、四角形状の板状に構成されている。
【００３０】
図２に示されるように、側壁３ｃおよび側壁３ｅは、それぞれ、ディスプレイ筐体３の下端部３ｈおよび上端部３ｊを構成している。下端部３ｈは、ヒンジ７の回転中心Ａｘ１，Ａｘ２と隣接（近接）している。上端部３ｊは、下端部３ｈよりもヒンジ７の回転中心Ａｘ１，Ａｘ２と離間している。また、側壁３ｄおよび側壁３ｆは、それぞれ、ディスプレイ筐体３の左端部３ｉおよび右端部３ｋを構成している。
【００３１】
また、ディスプレイ筐体３は、複数の部品（分割体）が組み合わせられて構成されている。具体的には、ディスプレイ筐体３は、例えば、フロントカバー３１と、リヤカバー３２と、を有している。フロントカバー３１は、前壁３ａと、側壁３ｃ〜３ｆのそれぞれの一部と、を含む。リヤカバー３２は、後壁３ｂと、側壁３ｃ〜３ｆのそれぞれの一部と、を含む。フロントカバー３１とリヤカバー３２とは、爪やネジ等によって互いに結合されている。
【００３２】
図１〜４に示されるように、ベース筐体２は、例えば、Ｚ方向に扁平な直方体状の箱型に構成されている。ベース筐体２は、上壁２ａや、下壁２ｂ、前壁２ｃ、左壁２ｄ、後壁２ｅ、右壁２ｆ等の複数の壁部を有している。前壁２ｃ、左壁２ｄ、後壁２ｅ、および右壁２ｆは、側壁や、周壁、端壁等とも称される。
【００３３】
上壁２ａおよび下壁２ｂは、いずれも、Ｚ方向と直交する方向（ＸＹ平面）に沿って延びており、Ｚ方向に間隔をあけて互いに平行に設けられている。上壁２ａは、上面２ａ１を含み、下壁２ｂは、下面２ｂ１を含む。下面２ｂ１には、ベース筐体２を不図示の載置部から離間した状態に支持する複数の支持部が設けられている。支持部は、脚やゴム脚等とも称される。上壁２ａは、外壁の一例である。
【００３４】
前壁２ｃおよび後壁２ｅは、いずれも、Ｘ方向と直交する方向（ＹＺ平面）に沿って延びており、Ｘ方向に間隔をあけて互いに平行に設けられている。前壁２ｃは、上壁２ａおよび下壁２ｂのＸ方向の反対方向の端部の間に亘り、後壁２ｅは、上壁２ａおよび下壁２ｂのＸ方向の端部の間に亘っている。
【００３５】
前壁２ｃおよび後壁２ｅは、それぞれ、ベース筐体２の前端部２ｈおよび後端部２ｊを構成している。前端部２ｈは、ヒンジ７の回転中心Ａｘ１，Ａｘ２と離間している。後端部２ｊは、前端部２ｈよりもヒンジ７の回転中心Ａｘ１，Ａｘ２と隣接（近接）している。前端部２ｈは、第一端部の一例である。
【００３６】
左壁２ｄおよび右壁２ｆは、いずれも、Ｙ方向と直交する方向（ＸＹ平面）に沿って延びており、Ｙ方向に間隔をあけて互いに平行に設けられている。左壁２ｄは、上壁２ａおよび下壁２ｂのＹ方向の端部の間に亘り、右壁２ｆは、上壁２ａおよび下壁２ｂのＹ方向の反対方向の端部の間に亘っている。左壁２ｄおよび右壁２ｆは、それぞれ、ベース筐体２の左端部２ｉおよび右端部２ｋを構成している。
【００３７】
また、ベース筐体２は、複数の部品（分割体）が組み合わせられて構成されている。具体的には、ベース筐体２は、例えば、トップカバー２１と、ボトムカバー２２と、を有している。トップカバー２１は、上壁２ａと、前壁２ｃ、左壁２ｄ、後壁２ｅ、および右壁２ｆのそれぞれの一部と、を含む。ボトムカバー２２は、下壁２ｂと、前壁２ｃ、左壁２ｄ、後壁２ｅ、および右壁２ｆのそれぞれの一部と、を含む。トップカバー２１とボトムカバー２２とは、爪やネジ等によって互いに結合されている。
【００３８】
図５は、図４のV−V断面図である。図５に示されるように、ディスプレイ筐体３のフロントカバー３１およびリヤカバー３２は、それぞれ、第一部材３１Ａ，３２Ｔと、第二部材３１Ｂ，３２Ｕと、を有している。第一部材３１Ａ，３２Ｔと第二部材３１Ｂ，３２Ｕとは、互いに材料が異なる。第一部材３１Ａ，３２Ｔを構成する第一材料は、合成樹脂材料であり、第二部材３１Ｂ，３２Ｕを構成する第二材料は、マグネシウム合金等の金属材料である。第一部材３１Ａ，３２Ｔと第二部材３１Ｂ，３２Ｕとは、例えば、インサート成形（ハイブリット成形）等によって製造され、互いに接合（一体化）されている。
【００３９】
第一部材３１Ａ，３２Ｔは、アンテナユニット５のアンテナ５ａとディスプレイ筐体３の厚さ方向（図５ではＺ方向）に重なって位置されている。第一部材３１Ａ，３２Ｔは、合成樹脂材料によって構成されているので、アンテナ５ａは、第一部材３１Ａ，３２Ｔを介して電波を送受信することができる。アンテナ５ａは、例えば、無線ＬＡＮ（Local  Area  Network）用である。なお、アンテナ５ａは、無線ＬＡＮ用以外のものであってもよい。アンテナ５ａは、金属材料によって構成されている。
【００４０】
また、アンテナユニット５は、接続部材５ｂを有している。接続部材５ｂは、複数の折り曲げ部を有した板状に形成され、アンテナ５ａから延びている。接続部材５ｂは、金属材料によって構成されている。接続部材５ｂは、リヤカバー３２の第二部材３２Ｕの内面に接触した状態で、アルミテープ等によって第二部材３２Ｕに固定されている。これにより、アンテナ５ａと第二部材３２Ｕとが接続部材５ｂを介して電気的に接続され、第二部材３２Ｕがアンテナ５ａのグランド部材として機能する。
【００４１】
図５に示されるように、ベース筐体２のトップカバー２１およびボトムカバー２２は、それぞれ、第一部材２１Ｆ，２２Ｆと、第二部材２１Ｒ，２２Ｒと、を有している。第一部材２１Ｆ，２２Ｆと第二部材２１Ｒ，２２Ｒとは、互いに材料が異なる。第一部材２１Ｆ，２２Ｆを構成する第一材料は、合成樹脂材料であり、第二部材２１Ｒ，２２Ｒを構成する第二材料は、マグネシウム合金等の金属材料である。第一部材２１Ｆ，２２Ｆと第二部材２１Ｒ，２２Ｒとは、例えば、インサート成形（ハイブリット成形）等によって製造され、互いに接合（一体化）されている。
【００４２】
第一部材２１Ｆ，２２Ｆと第二部材２１Ｒ，２２Ｒとは、それぞれ、Ｘ方向に並んでいる。言い換えると、第二部材２１Ｒ，２２Ｒは、第一部材２１Ｆ，２２Ｆよりも前端部２ｈから離れて位置されている。そして、本実施形態では、ディスプレイ筐体３が第三展開位置Ｐ３に位置された状態で、第一部材２１Ｆ，２２Ｆがアンテナ５ａとＺ方向に重なって位置されている。これにより、ディスプレイ筐体３が第三展開位置Ｐ３で使用されるような場合にも、アンテナ５ａは、合成樹脂材料で構成された第一部材２１Ｆ，２２Ｆを介して電波を送受信することができる。
【００４３】
また、図５に示されるように、本実施形態では、第一部材２１Ｆと第二部材２１Ｒとの間の境界部２５に、リブ２ｘが設けられている。リブ２ｘは、上壁２ａからベース筐体２内に向かうＺ方向に突出し、前端部２ｈに沿ってＹ方向に延びている。リブ２ｘは、後述する第一部材２１Ｆの第三部分２１Ｆ２と第二部材２１Ｒの第四部分２１Ｒ２とがＸ方向に重なり合うことによって構成されている。
【００４４】
次に、リブ２ｘについてより詳しく説明する。図６は、トップカバー２１の背面側からの斜視図である。図７は、図６の第一部材２１Ｆの一部の拡大図である。図８は、図６の第二部材２１Ｒの一部の拡大図である。図９は、図２のIX−IX断面図である。
【００４５】
図６に示されるように、リブ２ｘは、ベース筐体２のパームレスト部８と対応する位置に設けられている。言い換えると、ベース筐体２の上壁２ａには、Ｙ方向に互いに間隔をあけて二つのリブ２ｘが設けられている。パームレスト部８は、ディスプレイ筐体３が第一展開位置Ｐ１（図２）で使用される場合に、ユーザが手を載せる部分である。パームレスト部８は、載置部等とも称される。
【００４６】
図７に示されるように、第一部材２１Ｆは、上壁２ａの一部を構成する第一部分２１Ｆ１と、リブ２ｘの一部を構成する第三部分２１Ｆ２と、を有している。第三部分２１Ｆ２は、第一部分２１Ｆ１のＸ方向の端部からＺ方向に突出し、Ｙ方向に沿って延びている。
【００４７】
また、第三部分２１Ｆ２は、Ｙ方向の両端側でＸ方向の反対方向に屈曲し、前壁２ｃ（前端部２ｈ）と接続されている。すなわち、第三部分２１Ｆ２は、Ｘ方向に沿って延びる部分を含む。なお、前壁２ｃと第三部分２１Ｆ２との間には、第一部分２１Ｆ１からＺ方向に突出した第三部分２１Ｆ２とは別の複数のリブが設けられている。複数のリブは、Ｚ方向に見た場合に、格子状に構成されている。
【００４８】
図８に示されるように、第二部材２１Ｒは、上壁２ａの一部を構成する第二部分２１Ｒ１と、リブ２ｘの一部を構成する第四部分２１Ｒ２と、を有している。第四部分２１Ｒ２は、第二部分２１Ｒ１のＸ方向の反対方向の端部からＺ方向に突出し、第三部分２１Ｆ２に沿って延びている。第四部分２１Ｒ２は、Ｚ方向に見た場合に、Ｘ方向の反対方向に向けて開放された略Ｕ字状に構成されている。
【００４９】
そして、図９に示されるように、本実施形態では、第二部分２１Ｒ１が第一部分２１Ｆ１とＸ方向およびＹ方向に並び、かつ第四部分２１Ｒ２が第三部分２１Ｆ２とＸ方向およびＹ方向に並んだ状態で、第一部材２１Ｆと第二部材２１Ｒとが接合（一体化）されている。
【００５０】
このように、本実施形態によれば、リブ２ｘの第三部分２１Ｆ２および第四部分２１Ｒ２によって、第一部材２１Ｆと第二部材２１Ｒとの間の境界部２５における接触面積ひいては摩擦力が増大する。よって、例えば、上壁２ａのパームレスト部８からリブ２ｘの突出方向であるＺ方向に入力される荷重に対する剛性や強度が高まりやすい。
【００５１】
なお、本実施形態では、ベース筐体２の左壁２ｄおよび右壁２ｆのうち一方、例えば右壁２ｆには、タッチペン１０が収容されている。タッチペン１０は、収容部を構成する隔壁２ｙによって覆われている。隔壁２ｙは、Ｙ方向に見た場合に、下壁２ｂ側に向けて開放された略Ｕ字状に構成されている。隔壁２ｙは、Ｙ方向に沿って延びており、リブ２ｘとＺ方向に並んでいる。本実施形態では、この隔壁２ｙによっても、パームレスト部８からＺ方向に入力される荷重に対する剛性や強度が高められている。
【００５２】
以上のように、本実施形態では、ベース筐体２は、前端部２ｈ（第一端部）を有した上壁２ａ（外壁）と、上壁２ａにおける前端部２ｈとはＸ方向（第一方向）に離れた位置から当該ベース筐体２内に突出し、かつ前端部２ｈに沿って延びたリブ２ｘと、上壁２ａの一部を構成する第一部分２１Ｆ１と、リブ２ｘの一部を構成する第三部分２１Ｆ２と、を有し、合成樹脂材料（第一材料）によって構成された第一部材２１Ｆと、上壁２ａの一部を構成し第一部分２１Ｆ１とＸ方向に並んだ第二部分２１Ｒ１と、リブ２ｘの一部を構成し第三部分２１Ｆ２とＸ方向に並んだ第四部分２１Ｒ２と、を有し、金属材料（第二材料）によって構成され第一部材２１Ｆと接合された第二部材２１Ｒと、を備える。
【００５３】
このような構成によれば、例えば、リブ２ｘが設けられない場合と比べて、第一部材２１Ｆおよび第二部材２１Ｒの境界部２５における接触面積ひいては摩擦力が増大する。よって、例えば、リブ２ｘを利用した比較的簡素な構成によって、境界部２５における接合強度、すなわちリブ２ｘの突出方向であるＺ方向に入力される荷重に対する剛性や強度がより高まりやすい。
【００５４】
また、本実施形態では、電子機器１は、表示画面６ａを有し、ベース筐体２に対して複数の回転中心Ａｘ１，Ａｘ２回りに、表示画面６ａが上壁２ａの上面２ａ１（外面）と面する閉位置Ｐ０（第一位置）と、表示画面６ａが上面２ａ１とは反対側を向く第三展開位置Ｐ３（第二位置）と、の間で回転可能に支持されたディスプレイ筐体３（第二筐体）と、ディスプレイ筐体３に収容され、当該ディスプレイ筐体３が第三展開位置Ｐ３に位置された状態で第一部材２１ＦとＺ方向（第二方向）に重なって位置されたアンテナ５ａと、を備える。
【００５５】
このような構成によれば、第一部材２１Ｆが合成樹脂材料によって構成されているため、例えば、ディスプレイ筐体３が第三展開位置Ｐ３で使用されるような場合にも、アンテナ５ａが第一部材２１Ｆを介して電波を送受信することができる。
【００５６】
［第１変形例］
図１０は、第１変形例の電子機器１Ａの第二部材２１Ｒの一部の斜視図であり、図１１は、第１変形例の電子機器１Ａのベース筐体２の一部の断面図である。電子機器１Ａは、上記実施形態の電子機器１と同様の構成を備えている。よって、電子機器１Ａは、当該同様の構成に基づく上記実施形態と同様の作用および効果を得ることができる。
【００５７】
ただし、本変形例では、図１０に示されるように、第四部分２１Ｒ２に凹部２１Ｒ３が設けられている点が、上記実施形態と相違している。凹部２１Ｒ３は、例えば、第三部分２１Ｆ２から離れる方向、すなわちＸ方向に凹み、Ｘ方向の反対方向に開放されている。また、凹部２１Ｒ３は、第四部分２１Ｒ２に沿ってＹ方向に細長く延びている。なお、凹部２１Ｒ３は、この例には限定されず、例えば、Ｙ方向に間欠的に設けられてもよい。
【００５８】
また、図１１に示されるように、第三部分２１Ｆ２には、Ｘ方向に突出し、凹部２１Ｒ３内に挿入される突出部２１Ｆ３が設けられている。突出部２１Ｆ３は、凹部２１Ｒ３に沿ってＹ方向に延びている。言い換えると、突出部２１Ｆ３は、凹部２１Ｒ３に係合（嵌合）している。突出部２１Ｆ３は、第一突出部の一例であり、凹部２１Ｒ３は、第一開口部の一例である。
【００５９】
また、第一部分２１Ｆ１には、第二部分２１Ｒ１とは反対側に凹んだ凹部２１Ｆ４が設けられ、第二部分２１Ｒ１には、凹部２１Ｆ４内に突出する突出部２１Ｒ４が設けられている。突出部２１Ｒ４および凹部２１Ｆ４は、上壁２ａの上面２ａ１よりもＺ方向に離れて位置されている。突出部２１Ｒ４は、Ｙ方向に沿って延び、凹部２１Ｆ４に係合（嵌合）している。凹部２１Ｆ４のＸ方向に沿った深さは、例えば、凹部２１Ｒ３のＸ方向に沿った深さよりも深い。突出部２１Ｒ４は、第二突出部の一例であり、凹部２１Ｆ４は、第二開口部の一例である。
【００６０】
突出部２１Ｆ３は、第一部材２１Ｆと第二部材２１Ｒとのインサート成形時に、第一部材２１Ｆを構成する合成樹脂材料が凹部２１Ｒ３内に入り込むことによって構成されている。また、凹部２１Ｆ４は、第一部材２１Ｆと第二部材２１Ｒとのインサート成形時に、第一部材２１Ｆを構成する合成樹脂材料が突出部２１Ｒ４の周囲のスペースに入り込むことによって構成されている。なお、凹部２１Ｒ３および突出部２１Ｒ４は、例えば、ＣＮＣ加工等によって第四部分２１Ｒ２および第二部分２１Ｒ１のそれぞれの一部が切削されることによって構成されている。
【００６１】
このように、本変形例では、例えば、第三部分２１Ｆ２には、Ｘ方向に沿って延びた突出部２１Ｆ３が設けられ、第四部分２１Ｒ２には、突出部２１Ｆ３が入る凹部２１Ｒ３が設けられている。このような構成によれば、例えば、突出部２１Ｆ３と凹部２１Ｒ３の縁部との当接によって、第一部材２１Ｆと第二部材２１ＲとのＸ方向と交差したＺ方向およびＹ方向への相対移動を抑制することができる。また、例えば、突出部２１Ｆ３および凹部２１Ｒ３が設けられない場合と比べて、境界部２５における接触面積ひいては摩擦力がより増大しうる。よって、例えば、第一部材２１Ｆおよび第二部材２１Ｒの境界部２５における接合強度がより一層高まりやすい。
【００６２】
また、本変形例では、例えば、第二部分２１Ｒ１には、上壁２ａの上面２ａ１よりもＺ方向に離れた位置でＸ方向に沿って延びた突出部２１Ｒ４が設けられ、第一部分２１Ｆ１には、突出部２１Ｒ４が入る凹部２１Ｆ４が設けられている。このような構成によれば、例えば、突出部２１Ｒ４と凹部２１Ｆ４の縁部との当接によって、第一部材２１Ｆと第二部材２１ＲとのＺ方向およびＹ方向への相対移動を抑制することができる。よって、例えば、第一部材２１Ｆおよび第二部材２１Ｒの境界部２５における接合強度、すなわちＺ方向に入力された荷重に対する剛性や強度がより一層高まりやすい。
【００６３】
［第２変形例］
図１２は、第２変形例の電子機器１Ｂのベース筐体２の一部の断面図である。電子機器１Ｂは、上記第１変形例の電子機器１Ａと同様の構成を備えている。よって、電子機器１Ｂは、当該同様の構成に基づく上記第１変形例と同様の作用および効果を得ることができる。
【００６４】
ただし、本変形例では、図１２に示されるように、第四部分２１Ｒ２に貫通孔２１Ｒ７が設けられている点が、上記第１変形例と相違している。貫通孔２１Ｒ７は、第一開口部の一例であり、第四部分２１Ｒ２をＸ方向に貫通している。貫通孔２１Ｒ７には、突出部２１Ｆ３が係合（嵌合）している。なお、貫通孔２１Ｒ７および突出部２１Ｆ３は、例えば、Ｙ方向に間欠的に設けられてもよい。
【００６５】
このように、本変形例によれば、貫通孔２１Ｒ７によって、突出部２１Ｆ３との接触面積（引っ掛かり量）がより増大するため、境界部２５における接合強度、すなわちＺ方向に入力された荷重に対する剛性や強度がより一層高まりやすい。
【００６６】
なお、突出部２１Ｆ３は、この例には限定されず、例えば、貫通孔２１Ｒ７の第三部分２１Ｆ２とは反対側でＺ方向に沿って張り出した張出部が設けられてもよい。張出部は、フランジ部や、引掛部、カシメ部等とも称される。張出部によって第二部材２１Ｒとの接触面積が増えるため、境界部２５における接合強度がより一層高まりやすい。
【００６７】
張出部は、例えば、第一部材２１Ｆと第二部材２１Ｒとのインサート成形時に、金型に対する第二部材２１Ｒのセット位置をずらし、貫通孔２１Ｒ７の第三部分２１Ｆ２とは反対側に第一部材２１Ｆを構成する合成樹脂材料が流れ込むスペースを確保すること等によって、容易に成形することができる。
【００６８】
［第３変形例］
図１３は、第３変形例の電子機器１Ｃの第二部材２１Ｒの一部の斜視図であり、図１４は、第３変形例の電子機器１Ｃのベース筐体２の一部の断面図である。電子機器１Ｃは、上記第２変形例の電子機器１Ｂと同様の構成を備えている。よって、電子機器１Ｃは、当該同様の構成に基づく上記第２変形例と同様の作用および効果を得ることができる。
【００６９】
ただし、本変形例では、図１３に示されるように、突出部２１Ｒ４に貫通孔２１Ｒ５が設けられている点が、上記第１変形例と相違している。貫通孔２１Ｒ５は、突出部２１Ｒ４をＺ方向に貫通した貫通孔の一例である。また、突出部２１Ｒ４には、Ｙ方向に互いに間隔をあけて複数の貫通孔２１Ｒ５が設けられている。なお、貫通孔２１Ｒ５は、この例には限定されず、例えば、Ｙ方向に沿って細長く延びた長穴状に構成されてもよい。
【００７０】
また、図１４に示されるように、第一部分２１Ｆ１には、貫通孔２１Ｒ５を介して凹部２１Ｆ４のＺ方向に離間した二つの側面２１Ｆ８と繋がった接続部２１Ｆ５が設けられている。接続部２１Ｆ５は、二つの側面２１Ｆ８の間に亘ってＺ方向に延びている。言い換えると、接続部２１Ｆ５は、貫通孔２１Ｒ５に係合（嵌合）している。
【００７１】
このように、本変形例によれば、貫通孔２１Ｒ５を貫通する接続部２１Ｆ５によって凹部２１Ｆ４の二つの側面２１Ｆ８が繋がるため、第一部材２１Ｆおよび第二部材２１Ｒの境界部２５における接合強度、すなわちＺ方向に入力された荷重に対する剛性や強度がより一層高まりやすい。
【００７２】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【００７３】
例えば、第二部材の第二材料は、金属材料には限定されず、第一部材の第一材料とは異なる合成樹脂材料等であってもよい。
【符号の説明】
【００７４】
１，１Ａ〜１Ｃ…電子機器、２…ベース筐体（筐体）、２ａ…上壁（外壁）、２ａ１…上面（外面）、２ｈ…前端部（第一端部）、２ｘ…リブ、３…ディスプレイ筐体（第二筐体）、５ａ…アンテナ、６ａ…表示画面、２１Ｆ…第一部材、２１Ｆ１…第一部分、２１Ｆ２…第三部分、２１Ｆ３…突出部（第一突出部）、２１Ｆ４…凹部（第二開口部）、２１Ｆ５…接続部、２１Ｆ８…側面、２１Ｒ…第二部材、２１Ｒ１…第二部分、２１Ｒ２…第四部分、２１Ｒ３…凹部（第一開口部）、２１Ｒ４…突出部（第二突出部）、２１Ｒ５…貫通孔、２１Ｒ７…貫通孔（第一開口部）、２５…境界部、Ａｘ１，Ａｘ２…回転中心、Ｐ０…閉位置（第一位置）、Ｐ３…第三展開位置（第二位置）、Ｘ…第一方向、Ｚ…第二方向。
【図１】
2020080086.tif 000003
【図２】
2020080086.tif 000004
【図３】
2020080086.tif 000005
【図４】
2020080086.tif 000006
【図５】
2020080086.tif 000007
【図６】
2020080086.tif 000008
【図７】
2020080086.tif 000009
【図８】
2020080086.tif 000010
【図９】
2020080086.tif 000011
【図１０】
2020080086.tif 000012
【図１１】
2020080086.tif 000013
【図１２】
2020080086.tif 000014
【図１３】
2020080086.tif 000015
【図１４】
2020080086.tif 000016
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
電子機器の筐体であって、
第一端部を有した外壁と、
前記外壁における前記第一端部とは第一方向に離れた位置から当該筐体内に突出し、かつ前記第一端部に沿って延びたリブと、
前記外壁の一部を構成する第一部分と、前記リブの一部を構成する第三部分と、を有し、第一材料によって構成された第一部材と、
前記外壁の一部を構成し前記第一部分と前記第一方向に並んだ第二部分と、前記リブの一部を構成し前記第三部分と前記第一方向に並んだ第四部分と、を有し、前記第一材料とは異なる第二材料によって構成され前記第一部材と接合された第二部材と、
を備え、
前記第三部分および前記第四部分のうち一方には、前記第一方向に沿って延びた第一突出部が設けられ、他方には前記第一突出部が入る第一開口部が設けられた、筐体。
【請求項２】
前記第一部分および前記第二部分のうち一方には、前記外壁の外面よりも前記リブの突出方向である第二方向に離れた位置で前記第一方向に沿って延びた第二突出部が設けられ、他方には前記第二突出部が入る第二開口部が設けられた、請求項１に記載の筐体。
【請求項３】
前記第二突出部には、前記第二方向に貫通した貫通孔が設けられ、前記第一部分および前記第二部分のうち他方には、前記貫通孔を介して前記第二開口部の前記第二方向に離間した二つの側面と繋がった接続部が設けられた、請求項２に記載の筐体。
【請求項４】
電子機器の筐体であって、
第一端部を有した外壁と、
前記外壁における前記第一端部とは第一方向に離れた位置から当該筐体内に突出し、かつ前記第一端部に沿って延びたリブと、
前記外壁の一部を構成する第一部分と、前記リブの一部を構成する第三部分と、を有し、第一材料によって構成された第一部材と、
前記外壁の一部を構成し前記第一部分と前記第一方向に並んだ第二部分と、前記リブの一部を構成し前記第三部分と前記第一方向に並んだ第四部分と、を有し、前記第一材料とは異なる第二材料によって構成され前記第一部材と接合された第二部材と、
を備え、
前記第一部分および前記第二部分のうち一方には、前記外壁の外面よりも前記リブの突出方向である第二方向に離れた位置で前記第一方向に沿って延びた第二突出部が設けられ、他方には前記第二突出部が入る第二開口部が設けられた、筐体。
【請求項５】
前記第二突出部には、前記第二方向に貫通した貫通孔が設けられ、前記第一部分および前記第二部分のうち他方には、前記貫通孔を介して前記第二開口部の前記第二方向に離間した二つの側面と繋がった接続部が設けられた、請求項４に記載の筐体。
【請求項６】
請求項１〜５のうちいずれか一つに記載の筐体と、
表示画面を有し、前記筐体に対して複数の回転中心回りに、前記表示画面が前記外壁の外面と面する第一位置と、前記表示画面が前記外面とは反対側を向く第二位置と、の間で回転可能に支持された第二筐体と、
前記第二筐体に収容され、当該第二筐体が前記第二位置に位置された状態で前記第一部材と前記リブの突出方向である第二方向に重なって位置されたアンテナと、
を備え、
前記第一部材は、前記第一材料として合成樹脂材料によって構成された、電子機器。 
【手続補正２】
【補正対象書類名】明細書
【補正対象項目名】０００６
【補正方法】変更
【補正の内容】
【０００６】
本発明の第一態様にかかる筐体は、電子機器の筐体であって、第一端部を有した外壁と、前記外壁における前記第一端部とは第一方向に離れた位置から当該筐体内に突出し、かつ前記第一端部に沿って延びたリブと、前記外壁の一部を構成する第一部分と、前記リブの一部を構成する第三部分と、を有し、第一材料によって構成された第一部材と、前記外壁の一部を構成し前記第一部分と前記第一方向に並んだ第二部分と、前記リブの一部を構成し前記第三部分と前記第一方向に並んだ第四部分と、を有し、前記第一材料とは異なる第二材料によって構成され前記第一部材と接合された第二部材と、を備え、前記第三部分および前記第四部分のうち一方には、前記第一方向に沿って延びた第一突出部が設けられ、他方には前記第一突出部が入る第一開口部が設けられる。
【手続補正３】
【補正対象書類名】明細書
【補正対象項目名】０００７
【補正方法】変更
【補正の内容】
【０００７】
このような構成によれば、例えば、リブが設けられない場合と比べて、第一部材および第二部材の境界部における接触面積ひいては摩擦力が増大する。よって、例えば、リブを利用した比較的簡素な構成によって、第一部材および第二部材の境界部における接合強度、すなわちリブの突出方向である第二方向に入力される荷重に対する剛性や強度がより高まりやすい。また、例えば、第一突出部と第一開口部の縁部との当接によって、第一方向と交差する方向への第一部材と第二部材との相対移動を抑制することができる。また、例えば、第一突出部および第一開口部が設けられない場合と比べて、境界部における接触面積ひいては摩擦力がより増大しうる。よって、例えば、第一部材および第二部材の境界部における接合強度がより一層高まりやすい。
【手続補正４】
【補正対象書類名】明細書
【補正対象項目名】０００８
【補正方法】削除
【補正の内容】
【手続補正５】
【補正対象書類名】明細書
【補正対象項目名】００１１
【補正方法】変更
【補正の内容】
【００１１】
また、本発明の第二態様にかかる筐体は、電子機器の筐体であって、第一端部を有した外壁と、前記外壁における前記第一端部とは第一方向に離れた位置から当該筐体内に突出し、かつ前記第一端部に沿って延びたリブと、前記外壁の一部を構成する第一部分と、前記リブの一部を構成する第三部分と、を有し、第一材料によって構成された第一部材と、前記外壁の一部を構成し前記第一部分と前記第一方向に並んだ第二部分と、前記リブの一部を構成し前記第三部分と前記第一方向に並んだ第四部分と、を有し、前記第一材料とは異なる第二材料によって構成され前記第一部材と接合された第二部材と、を備え、前記第一部分および前記第二部分のうち一方には、前記外壁の外面よりも前記リブの突出方向である第二方向に離れた位置で前記第一方向に沿って延びた第二突出部が設けられ、他方には前記第二突出部が入る第二開口部が設けられる。
また、前記第二突出部には、前記第二方向に貫通した貫通孔が設けられ、前記第一部分および前記第二部分のうち他方には、前記貫通孔を介して前記第二開口部の前記第二方向に離間した二つの側面と繋がった接続部が設けられる。
また、本発明の第三態様にかかる電子機器は、請求項１〜５のうちいずれか一つに記載の筐体と、表示画面を有し、前記筐体に対して複数の回転中心回りに、前記表示画面が前記外壁の外面と面する第一位置と、前記表示画面が前記外面とは反対側を向く第二位置と、の間で回転可能に支持された第二筐体と、前記第二筐体に収容され、当該第二筐体が前記第二位置に位置された状態で前記第一部材と前記リブの突出方向である第二方向に重なって位置されたアンテナと、を備え、前記第一部材は、前記第一材料として合成樹脂材料によって構成される。